(57)【要約】      （修正有）【課題】適度な硬さの土壌まで、深さを選んで打ち込むことが可能で、どのような土壌であっても、しっかりと土壌内に固定され、また、非常に硬い層に打ち込んでしまい、抜けなくなるといったこともないアンカーと、このアンカーを用いた獣害防止柵を提供する。【解決手段】アンカー本体１と、ケーブルを備えたアンカーであって、アンカー本体は、その側面投影形状が略三角形であり、この略三角形のひとつの頂点近傍に設けられたケーブルを通すための開口であるケーブル取付け穴１４と、ひとつの頂点と対向する略三角形の一辺近傍に、この一辺に略平行に設けられた棒状体を挿入するための一端のみが開口した穴である打設棒挿入穴１１とを有することを特徴とする。【選択図】図１
0003187753.tif 000002
【実用新案登録請求の範囲】
【請求項１】
アンカー本体と、ケーブルとを備えたアンカーであって、
上記アンカー本体は、
その側面投影形状が略三角形であり、
この略三角形のひとつの頂点近傍に設けられた上記ケーブルを通すための開口であるケーブル取付け穴と、
上記ひとつの頂点と対向する略三角形の一辺近傍に、この一辺に略平行に設けられた棒状体を挿入するための一端のみが開口した穴である打設棒挿入穴と、
を有し、
上記ケーブル取付け穴に上記ケーブルを通した
ことを特徴とするアンカー。
【請求項２】
上記ひとつの頂点を挟んだ上記略三角形の２辺の上記ひとつの頂点近傍のアンカー本体の幅は、他のアンカー本体の幅よりも狭い
ことを特徴とする請求項１記載のアンカー。
【請求項３】
請求項１または２に記載の複数のアンカーと、
地中に埋設された上記アンカー本体に通された上記ケーブルによりその下部が固定された網部と、
当該網部の側部を支持する支柱と、
を有することを特徴とする獣害防止柵。
【請求項４】
上記複数のアンカーのすべてのアンカー本体に１本の上記ケーブルに通し、
上記１本のケーブルは地面に沿って張られた
ことを有することを特徴とする請求項３に記載の獣害防止柵。
【請求項５】
上記網部は、地面上に置かれた穴掘り防止部である下部ネット延伸部を有し、
当該下部ネット延伸部を上記ケーブルにより地面に固定した
ことを特徴とする請求項３または４に記載の獣害防止柵。
【請求項６】
上記網部の上部は剛性の高い材質で形成され、
上記網部の下部は上部に比較して屈曲性の高い材質で形成されている
ことを特徴とする請求項３から５のいずれかに記載の獣害防止柵。
【考案の詳細な説明】
【技術分野】
【０００１】
本考案は、地中に埋め込んで固定するアンカー、およびそれを用いたフェンス、特に獣害防止柵に関するものである。
【背景技術】
【０００２】
猪や鹿等の大型獣による農作物への被害は深刻であり、これを防止するために獣害防止柵が設けられている。農作物への被害防止だけではなく、道路や鉄道の線路にこれらの動物が飛び出してくるのを防ぐ目的にも獣害防止柵が用いられている。
獣害防止柵は、所定の間隔をおいて設置された支柱間にネットを張ることで形成される。さらに、ネットの下を大型獣がくぐり抜けることを防止するため、ネットの下部はアンカーピンで地面に固定されている。
【０００３】
しかし、猪等の大型獣は強い力でネットの下部を持ち上げたり、ネットの下の地面を掘った上でネットの下部を持ち上げたりすることで、図１０に示すように、アンカーピンが抜けてしまい、大型獣が容易に柵をくぐり抜けてしまうといった問題があった。
あるいは、ネットの下の地面を大型獣が深く掘り進み、トンネルを形成して、柵の向こう側に抜け出てしまうこともあった。
【０００４】
これらの問題を解決するための獣害防止柵が提案されている。提案されている獣害防止柵は、図１１に示すように、ネットをフェンスの側方に延設することで、穴を掘ることを防止する構成である。フェンスの側方に延設されたネットは、アンカーピンを地中に打ち込むことで固定されている。
このような構成にすることで、大型獣が穴を掘ろうとしても、自らがネットの上にいるため穴を掘ることができない。
【０００５】
また、フェンスの側方に延設されたネットを地中に埋め込むことで、大型獣による穴掘りを一層防止できる構成も提案されている（例えば、特許文献１。）。
【先行技術文献】
【特許文献】
【０００６】
【特許文献１】特開２００１−２４５５４６号公報
【考案の概要】
【考案が解決しようとする課題】
【０００７】
上述のように、ネットをフェンスの側方に延設、あるいはそのネットを地中に埋め込むことで、大型獣が穴を掘ることを防止することが可能となり、獣害防止柵の反対側への侵入を防ぐことができる。
しかし、大型獣が別のルートを通るといった、なんらかの方法で獣害防止柵の反対側へ侵入した場合、獣害防止柵の反対側からは、図１２に示すように、容易に獣害防止柵を壊すことができる。そして、壊れた個所を通って、自由に大型獣が出入りすることが可能となり、畑が荒らされるといった被害が生じることになる。
【０００８】
また、獣害防止柵はかなり広範囲に渡って設置されるため、いろいろな土壌部分でネットの固定を行う必要がある。例えば、表面付近が柔らかい土壌の場所もあり、あるいは、ある深さから岩などの硬い部分がある場所もある。アンカーピンを地中に打ち込むんでネットを固定する場合、表面付近が柔らかい土壌では、アンカーピンの固定が不十分になってしまう。一方、途中から硬い層になっている土壌では、アンカーピンの先の一部のみが硬い部分に打ちこまれた状態になり、それ以上は打ちこめなくなるケースもある。最悪の場合には、その状態でアンカーピンを抜くことができなくなるケースもある。
【課題を解決するための手段】
【０００９】
本考案に係るアンカー本体と、ケーブルを備えたアンカーは、上記アンカー本体の側面投影形状が略三角形であり、この略三角形のひとつの頂点近傍に設けられた上記ケーブルを通すための開口であるケーブル取付け穴と、上記一つの頂点と対向する略三角形の一辺近傍に、この一辺に略平行に設けられた棒状体を挿入するための一端のみが開口した穴である打設棒挿入穴とを有することを特徴とする。
【００１０】
また、本考案に係るアンカー本体と、ケーブルを備えたアンカーは、上記ひとつの頂点を挟んだ上記略三角形の２辺の上記一つの頂点よりに対応する上記アンカー本体の幅は、他のアンカー本体の幅よりも狭いことを特徴とする。
【００１１】
本考案に係る獣害防止柵は、上記の複数のアンカーと、地中に埋設された上記アンカー本体に通された上記ケーブルによりその下部が固定された網部と、当該網部の側部を支持する支柱とを有することを特徴とする。
【００１２】
また、本考案に係る獣害防止柵は、上記複数のアンカーのすべてのアンカー本体に１本の上記ケーブルに通し、上記１本のケーブルは地面に沿って張られたことを特徴とする。
【００１３】
また、本考案に係る獣害防止柵は、上記網部が、地面上に置かれた穴掘り防止部を有し、当該穴掘り防止部を上記アンカーにより地面に固定したことを特徴とする。
【００１４】
さらに、本考案に係る獣害防止柵は、上記網部の上部が剛性の高い材質で形成され、
上記網部の下部が上部に比較して屈曲性の高い材質で形成されていることを特徴とする。
【考案の効果】
【００１５】
本考案に係るアンカーは前記のごとく構成されているので、適度な硬さの土壌まで、深さを選んで打ち込むことができるので、どのような土壌であっても、しっかりと土壌内に固定される。また、非常に硬い層に打ち込んでしまい、なんとかして抜かなくてはいけない、といった状況になることもない。なぜならば、本考案に係るアンカーは、従来の長いピン状のアンカーとは異なり、長さが短いため、硬い層に打ち込んでも地上部分にアンカーが露出することはないので、その位置で固定すれば良いからである。
また、本考案に係る獣害防止柵は前記のごとく構成されているので、獣害防止柵のいずれの側からも大型獣の侵入を防止することができると同時に、獣害防止柵を大型獣によって破壊されることもない。
【図面の簡単な説明】
【００１６】
【図１】本考案に係るアンカー本体の（ａ）上面図、（ｂ）側面図、（ｃ）正面図および（ｄ）背面図である。
【図２】本考案に係るアンカーを地面に打設する方法を説明する図である。
【図３】本考案に係るアンカーを地面に打設する方法を説明する図である。
【図４】本考案に係るアンカーを地面に打設する方法を説明する図である。
【図５】本考案に係るアンカーを地面に打設する方法を説明する図である。
【図６】本考案に係るアンカーを地面に打設する方法を説明する図である。
【図７】本考案に係る鳥獣防止柵の斜視図である。
【図８】本考案の実施の形態２に係る一連のアンカー打設方法を説明する図である。
【図９】本考案の実施の形態２に係る鳥獣防止柵の斜視図である。
【図１０】従来の鳥獣防止柵の課題を説明するための図である。
【図１１】従来の別の鳥獣防止柵の構成を説明するための図である。
【図１２】従来の別の鳥獣防止柵の課題を説明するための図である。
【考案を実施するための形態】
【００１７】
実施の形態１．
以下に、本考案の実施の形態に係るアンカーについて、図を用いて説明する。尚、以下の実施の形態は、本考案の一例であって、特に本考案をこの一例に限定するものではない。例えば、本考案品およびその構成部品に関して材質や寸法等を開示するが、これらは本考案の良好な一例を示すにすぎない。
【００１８】
まず、図１を用いて、本考案の実施の形態に係るアンカーを構成するアンカー本体について説明する。図１は、アンカー本体の（ａ）上面図、（ｂ）側面図、（ｃ）正面図および（ｄ）背面図である。
【００１９】
アンカー本体１は、例えば、金属や樹脂で構成されている。このアンカー本体１を上から見ると、図１（ａ）に示すように竹筒のような形状をしている。また、側面の投影形状は、図１（ｂ）に示すように略三角形である。この略三角形のひとつの頂点付近に開口が設けられている。この開口は、後述するケーブル２をこの開口に通してアンカー本体１に取り付けるためのケーブル取付け穴１４である。
【００２０】
このケーブル取付け穴１４の近傍にある頂点と対向する略三角形の一辺近傍に、この一辺に略平行に、棒状体を挿入するための一端のみが開口した穴である打設棒挿入穴１１が設けられている。この打設棒挿入穴１１には、後述する打設棒３が挿入できる。
【００２１】
略三角形形状の上部付近は、ケーブル取付け穴１４を挟んで傾斜１３、および１４があるが、この傾斜１３および１４の上部付近は、正面図（図１（ｃ））および背面図（図１（ｄ））に示すように、他の部分よりも細くなっている。
また、略三角形形状の右側の頂点である先端部１５は、図１（ａ）および（ｂ）に示すように細く突き出た形状になっている。
【００２２】
次に、アンカー全体の構成とアンカーを地面に打設する方法を図２から図６を用いて説明する。
アンカーはアンカー本体１とケーブル２からなり、図２に示すように、ケーブル２をケーブル取付け穴１４に通すことで、アンカー本体１に取り付けている。ケーブル２の他端には輪っかが設けられている。
【００２３】
また、打設棒３を打設棒挿入穴１１に挿入することができる。図２は、打設棒３を打設棒挿入穴１１に挿入し、アンカー本体１を地面に浅く差し込んだ状態である。
アンカー本体１の先端部１５は細く突き出た形状であるので、地面に小さな力で差し込むことができる。
【００２４】
そして、図３に示すように、ハンマーを用いて、打設棒の上端を強くただくことで、アンカーを地中深くに打ち込む。
なお、打ち込む際には、ハンマーの他にスライドハンマーやジャッキハンマーといった工具を用いれば、より楽にアンカーを地中に打ち込むことができる。
【００２５】
打ち込んでいく際に、ある程度硬い土壌に打ち込めたかどうかは感覚的に判断できるので、硬い地層に打ち込めたと判断できれば、そこで打ち込みを止めても良いし、さらに深く打ち込んでも良い。
【００２６】
次に、図４に示すように、打設棒３を抜き取る。
そして、図５に示すように、ケーブル２を矢印方向に引っ張る。この際に直接ケーブル２を手で持って引っ張っても良いが、図５に示すように輪っかに打設棒３を通して、これを両手で持って引っ張れば、より楽にケーブル２を引っ張ることができる。あるいは、ジャッキを用いて引っ張っても良い。
【００２７】
ケーブル２を上方に引っ張ると、その力はアンカー本体１のケーブル取付け穴１４に作用する。ケーブル取付け穴１４は略三角形の頂点付近に位置し、すなわち、アンカー本体１の中心よりずれた端部にあるため、アンカー本体１には回転トルクが生じる。図５においては、反時計回りの回転トルクが生じる。
【００２８】
この反時計回りの回転トルクにより、図６に示すように、アンカー本体１は反時計回りに回転する。アンカー本体１の傾斜１２および１３の上部を細くしているのは、この回転がスムースに行うようにするためである。ケーブル２を引っ張る方向とアンカー本体１がほぼ正対したところで回転トルクはゼロとなり、アンカー本体１の回転は止まる。このようにアンカー本体１を回転させることで、アンカー本体１の上側の断面積が大きくなり、上方へ引っ張り上げる際の土壌との接触抵抗が断面積に比例して大きくできる。そのため、アンカー本体１の土壌中での固定が確実なものとなる。
【００２９】
なお、アンカー１本体の土壌中の固定がしっかりしたものであるかに関しては、感覚的にも判断できるが、バネばかりのような計器を用いて、定量的に評価することも可能である。より強固な固定が求められる用途においては、このように計器を用いて適正な打設が行えたかどうかを判断すれば良い。
【００３０】
次に、このアンカーを用いたフェンスについて説明する。ここでは、鳥獣防止柵を例に取り、図７を用いて説明する。
獣害防止用柵は、２本の支柱２１とその間に設けられる上部ネット２２、および下部ネット２３から構成される。上部ネット２２は比較的太い鋼線で形成されたネットであり、他方、下部ネット２３は細い鋼線で形成されたネットである。
上部ネット２２には、縦の鋼線に山折り加工を施したベンダーリブ２２ａを設けても良い。ベンダーリブ２２ａにより、横方向の折れ曲りに対する剛性を向上させている。この構造により、通常の構造に比較して２５％程度も支柱間距離を長くすることが可能である。
【００３１】
大型獣がこのフェンスに衝突する際には、比較的柔軟な下部ネット２３に衝突するため、衝突後は下部ネット２３は元の形状に戻り、ネットの屈曲等の変形が生じにくい構成となっている。
すなわち、剛性が高い上部ネット２２で柵全体の強度を得ることができるため、支柱間距離を長くすることができる。一方、下部ネット２３としてより剛性が弱く、柔軟なネットを用いることで、大型獣の衝突による破損を防止している。
また、下部ネット２３は、その下方が２本の支柱２１の下端から側方に地上に沿って延伸した下部ネット延伸部２３ａを有する構成になっている。これは、大型獣がネットの下に穴を掘ってフェンスの向こう側に入ることを防ぐためである。
【００３２】
そして、この下部ネット延伸部２３ａの複数個所を、地中に打設した複数のアンカー本体１に取り付けられたケーブル２とそれぞれ結束する。例えば、結束個所を所定間隔で設けることで、下部ネット延伸部２３ａ全体をしっかりと固定することができる。
なお、結束方法は、下部ネット延伸部２３ａのネットをケーブル２の輪っかに通しても良いし、輪っかに結束ワイヤーを通して、下部ネット延伸部２３ａのネットに結束ワイヤをくくり付ける等してもよい。
【００３３】
また、図７においては、アンカー本体１はすべてほぼ同一の深さに打設しているが、土壌の状況によっては、アンカー本体１それぞれを適切な深さに打設しても良い。
なお、図７においては、下部ネット延伸部２３ａを設けた鳥獣防止柵について説明したが、下部ネット延伸部２３ａを設けない鳥獣防止柵に、上記アンカーを用いても強固な下部ネット２３の固定が可能である。また、鳥獣防止柵以外のフェンスに用いることも有効である。
【００３４】
本考案に係るアンカーは、上記のように構成されているため、適度な硬さの土壌まで、深さを選んで打ち込むことができるので、どのような土壌であっても、しっかりと土壌内に固定される。また、非常に硬い層に打ち込んでしまった場合には、従来の長いピン状のアンカーと異なり、その位置で固定できるという優れた特長を有している。
【００３５】
また、打設する際に強固な打設棒を用いるので、電動ハンマーや電動ブレーカーといった動力工具を用いることも可能であり、作業が迅速かつ確実に行える。ケーブルを上方に引っ張る際にもプーラ等を用いたり、梃子の応用で引っ張ることができるので、作業が容易になる。
【００３６】
そして、このアンカーを用いて固定したフェンスは、ネットの下部がしっかりと地面に固定される。
特に鳥獣防止柵の場合、広範囲に渡って設置されるため、また設置場所が山林等であるため、様々な土壌にアンカーを打設することが必要になる。本考案に係るアンカーの場合、打設深さを自由に変えることができるので、適切な硬さの土壌までアンカーを打ち込むことで、様々な土壌に対応可能である。
【００３７】
また、鳥獣防止柵の場合、広範囲に渡って設置されるため、極めて数多くのアンカーを打設する必要があるが、本考案に係るアンカーは動力工具を用いて打設できるため、作業を迅速かつ確実に進めることができる。
【００３８】
さらに、本考案に係るアンカーは地中に垂直に打設するだけではなく、角度を付けて斜めに地中に埋め込むことができる。鳥獣防止柵の場合、下部ネットの複数場所を固定するアンカーそれぞれの打ち込み角度を変えることで、下部ネットを異なる角度から地面に向けて引っ張り固定することができる。これにより、大型獣が強い力でどの角度にネットを持ち上げようとしても、それに耐えることが可能である。すなわち、様々な角度の力に対しても、十分に安定にネットを地面に固定できる。
【００３９】
実施の形態２．
以下に、本考案の実施の形態に係るアンカーについて、図を用いて説明する。尚、以下の実施の形態２においても、本考案の一例であって、特に本考案をこの一例に限定するものではない。例えば、本考案品およびその構成部品に関して材質や寸法等を開示するが、これらは本考案の良好な一例を示すにすぎない。
【００４０】
図８を用いて、複数のアンカーの構成及び打設方法について説明する。
まず、アンカーの構成であるが、アンカー本体に関しては、実施の形態１で開示したアンカー本体１と同様の構成である。また、実施の形態１においては、アンカー本体ごとに１本のケーブル２を取付けて使用したが、本実施の形態においては、１本の長いケーブル４を複数のアンカー１のケーブル取付け穴１４に通して使用する。
【００４１】
次に、複数のアンカーを一直線上に打設する打設方法を説明する。
まず複数のアンカー本体１のケーブル取付け穴１４に順次、１本の長いケーブル４を通す。
そして、ケーブル４の一番端にあるアンカー本体１を地中に打設する。例えば、図８において、一番右側のアンカー１が初めに地中に打設される。打設する深さは、打設する場所ごとの土壌の状態によって最適な深さを選択する。例えば、アンカー本体１を地面から打設していき、ある程度硬い層に入るまで打設してやる。そして、このアンカー本体１から地面上に出ているケーブル４の両方を持ち上げて、アンカー本体１を地中内で回転させることで、１個のアンカーの打設工程が完了する。
【００４２】
同様に、右から２番目のアンカー本体１の打設工程を行う。土壌の状態が同じであれば、同じ程度の深さまで打設してやれば良い。あるいは、土壌の状態が異なり、柔らかい表面層が歩く続く土壌の場合には、より深くまで打設する。
このようにして、アンカー１を右から順に地中に打設する打設工程を行っていく。そして、すべてのアンカー本体１の打設工程が完了した後に、ケーブル４の両端を引っ張ることで、ケーブル４を地面上に一直線に強く張ることができる。最後に、ケーブル４の両端をどこかに固定してやれば良い。例えば、フェンスの支柱に結んで固定しても良いし、ネットのどこかに強固に結び付けても良い。
【００４３】
図８で示した一連のアンカー構成を獣害防止柵に適用した例を図９に示す。
図９においては、獣害防止柵の下部ネット延伸部２３ａの前端部を図８で示した一連のアンカーで固定しているが、もちろん、下部ネット延伸部２３ａの後端部（下部ネット２３の下端）を同様に固定しても良い。
【００４４】
なお、ケーブル４と下部ネット延伸部２３ａとの結束方法としては、針金等を用いて結束しても良いし、専用の結束具を用いても良い。ケーブル４と下部ネット延伸部２３ａとがしっかりと結束され、経年的に緩み等が生じない方法であれば、どのような結束方法であっても良い。
【００４５】
本考案の実施の形態２に係るアンカーは、上記のように構成されているため、実施の形態１で説明した多くの特長に加えて、以下の特長も有する。
まず、ケーブルを地面に沿ってピンと張ることができる。そして、アンカー本体それぞれが一定の強さで土壌内に固定されているため、ひとつのアンカー本体だけが、土壌内で浮き上がり、地面上でのケーブルの張力を弱めるおそれが少ない。
【００４６】
また、従来のピン状のアンカーの場合、降雨等の影響により、アンカーが打ち込まれた場所の土壌が浸食されて無くなり、アンカーが浮き上がって、ネット下部から外れてしまうといった不具合が生じていた。しかし、本実施の形態に係るアンカーは、そもそも土壌の硬い位置まで打ち込まれているので、アンカー部分の土壌まで浸食されるようなことは無く、万が一そのようなことが起こっても、連続してケーブルに繋がっているため、浮き上がることは無い。
【００４７】
この一連のアンカー構成を獣害防止柵に適用した場合、柵の下端全体を地面にピッタリと固定することができるという大きなメリットが生じる。少しでも浮き上がった個所があると、動物はその個所に興味を持ち、そこに穴を掘ったり、そこを持ち上げようとしたりする。そのため、その一か所から柵全体に浮き上がりが生じることがあり、柵の下端全体を地面にピッタリと固定できることは、獣害防止柵にとって極めて大きなメリットである。
【符号の説明】
【００４８】
１  アンカー本体
２  ケーブル
３  打設棒
１１  打設棒挿入穴
１２、１３  傾斜
１４  ケーブル取付け穴
１５  先端部
２１  支柱
２２  上部ネット
２２ａ  ベンダーリブ
２３  下部ネット
２３ａ  下部ネット延伸部
ＧＬ  地面
【図１】
0003187753.tif 000003
【図２】
0003187753.tif 000004
【図３】
0003187753.tif 000005
【図４】
0003187753.tif 000006
【図５】
0003187753.tif 000007
【図６】
0003187753.tif 000008
【図７】
0003187753.tif 000009
【図８】
0003187753.tif 000010
【図９】
0003187753.tif 000011
【図１０】
0003187753.tif 000012
【図１１】
0003187753.tif 000013
【図１２】
0003187753.tif 000014